(57)【要約】      （修正有）【課題】扉の全閉状態での気密性が確実に維持できる扉の密閉装置に関するものであり、簡単な構造で、自閉動作に影響を与える事が無く、扉の全閉時は気密性に優れ、施行も容易で、且つ安価に製作できる扉の密閉装置を提供すること。【解決手段】接触面の戸尻側端部が下方に傾斜する押圧面とし、開閉方向全幅にわたって扉の上端部に配設された接触案内レール３１と、扉の開閉時に前記接触面に常に接触し、扉の全閉時に、前記接触面から押圧面に接触し、吊り戸装置の固定側に設けられた接触子３２と、接触子を常に押圧面に接触する方向に付勢する付勢手段４からなるものである。【選択図】    図３
2006083626.tif 000002
【特許請求の範囲】
【請求項１】
接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触し、吊り戸装置の固定側に設けられた接触子と、接触子を常に押圧面に接触する方向に付勢する付勢手段からなる事を特徴とする扉の密閉装置。
【請求項２】
接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触する接触子を戸尻側端部に有し、吊り戸装置の固定側に回動自在に連結された揺動杆と、接触子が常に押圧面に接触する方向に揺動杆に回動力を付与する付勢手段からなる事を特徴とする扉の密閉装置。
【請求項３】
接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触する接触子を戸尻側端部に有し、吊り戸装置の固定側に回動自在に連結された揺動杆と、接触子が常に押圧面に接触する方向に揺動杆に回動力を付与する付勢手段からなり、接触子は回転自在なローラーより形成され、付勢手段は、揺動杆の戸先側端部と吊り戸装置の固定側間に配設された引張りバネより形成されている事を特徴とする扉の密閉装置。
【発明の詳細な説明】
【技術分野】
【０００１】
本発明は、扉の全閉状態での気密性が確実に維持できる扉の密閉装置に関するものである。
【背景技術】
【０００２】
この種の密閉装置としては、走行域上辺部に走行レールを設け、ドア頂部に配設された吊り金具の走行ローラーを前記走行レールに係合せしめて前記ドアの走行を図るようにしたものであって、前記吊り金具またはその近傍に接合部を設け、前記した走行レールの上方における上記走行域の端部側に基端側を枢着された制御カム板を設け、該制御カム板に復動弾性材を配設したものがある。（例えば、特許文献１参照。）
【０００３】
この場合、特に自閉機能を有するドアの閉鎖時、ドアの接合部が制御カム板に接触した状態で、ドアの自閉動作を阻止する方向に復動弾性材が作用する。そして、ドアの接合部が制御カム板を乗り越えてドアが閉鎖すると復動弾性材は戸閉まり方向にドアを押付けるよう作用する。
すなわち、自閉動作を妨げないように復動弾性材を弱く設定すると、ドアを戸閉まり方向に押付ける力（以下、密閉力）が弱くなり、密閉力が強くなるよう復動弾性材を強く設定すると、自閉動作を妨げる事となっていた。
従って、自閉動作を妨げず、密閉力もふさわしくなるよう復動弾性材の強さを設定するのが困難であり、結局は自閉を妨げない程度の強さに設定して、密閉力を犠牲にせざるを得ず、確実な気密性を得る事は困難であった。
【０００４】
【特許文献１】特開平１０−２１４８号公報
【発明の開示】
【発明が解決しようとする課題】
【０００５】
本発明は、簡単な構造で、自閉動作に影響を与える事が無く、扉の全閉時は気密性に優れ、施行も容易で、且つ安価に製作できる扉の密閉装置を提供することを課題とする。
【課題を解決するための手段】
【０００６】
そこで、上記課題を解決する為、本発明が第１の手段として構成したところは、接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触し、吊り戸装置の固定側に設けられた接触子と、接触子を常に押圧面に接触する方向に付勢する付勢手段からなるものである。
【０００７】
次に本発明が第２の手段として構成したところは、接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触する接触子を戸尻側端部に有し、吊り戸装置の固定側に回動自在に連結された揺動杆と、接触子が常に押圧面に接触する方向に揺動杆に回動力を付与する付勢手段からなるものである。
【０００８】
次に本発明が第３の手段として構成したところは、接触面の戸尻側端部が下方に傾斜する押圧面とし、開閉方向全幅にわたって扉の上端部に配設された接触案内レールと、扉の開閉時に前記接触面に常に接触し、扉の全閉時に、前記接触面から押圧面に接触する接触子を戸尻側端部に有し、吊り戸装置の固定側に回動自在に連結された揺動杆と、接触子が常に押圧面に接触する方向に揺動杆に回動力を付与する付勢手段からなり、接触子は回転自在なローラーより形成され、付勢手段は、揺動杆の戸先側端部と吊り戸装置の固定側間に配設された引張りバネより形成されているものである。
【発明の効果】
【０００９】
請求項１に記載の発明によると、接触子が接触する接触面を有する案内レールが扉の上端部に開閉方向全幅にわたって設けられているので、接触子は閉鎖開始の状態から常に同じ接触力（摩擦力）で接触面に接触する事となり、閉鎖途中に接触して扉の自閉動作を阻害する事が無く、一旦、所望の自閉力に調節すれば、円滑な自閉動作を常に得る事が出来る。
又、接触面の戸尻側端部を下方に傾斜する押圧面とし、接触子を吊り戸装置の固定側に設け、扉の全閉時に接触子が押圧面に接触する方向に付勢力を付与しているので、扉が全閉すると、自閉力に前記付勢力を付加した力で密閉力となり、扉は確実に密閉され、気密性が高まる。
【００１０】
請求項２に記載の発明によると、接触子が接触する接触面を有する案内レールが扉の上端部に開閉方向全幅にわたって設けられているので、接触子は閉鎖開始の状態から常に同じ接触力（摩擦力）で接触面に接触する事となり、閉鎖途中に接触して扉の自閉動作を阻害する事が無く、一旦、所望の自閉力に調節すれば、円滑な自閉動作を常に得る事が出来る。
又、接触面の戸尻側端部を下方に傾斜する押圧面とし、扉の全閉時に、接触面から押圧面に接触する接触子を戸尻側に有し、吊り戸装置の固定側に戸先側が回動自在に連結された揺動杆と、接触子が常に押圧面に接触する方向に揺動杆に回動力を付与する付勢手段から構成されているから、扉が全閉すると、自閉力に揺動杆の回動力が付加された力が密閉力となり、扉は確実に密閉される。
【００１１】
請求項３に記載の発明によると、請求項２に記載の発明の効果に加え、接触子は回転ローラーより形成されているので、扉の開閉動作は円滑であり、付勢手段は引張りバネより形成されているので構造が簡単であり、安価に製作出来る。
【発明を実施するための最良の形態】
【００１２】
本発明は、接触面の戸尻側端部を下方に傾斜する押圧面とし、開閉方向全幅にわたって扉の上端部に配設された接触案内レールと、扉の開閉時に前記接触面に常に接触し、扉の全閉時に、前記接触面から押圧面に接触する接触子を戸尻側に有し、吊り戸装置の固定側に戸先側が回動自在に連結された揺動杆と、接触子が常に押圧面に接触する方向に揺動杆に回動力を付与する付勢手段からなり、付勢手段は引張りバネより形成され、引張りバネの取付け位置を変えることにより揺動杆の回動力を選択可能としたものである。
【実施例１】
【００１３】
以下、添付図面に基づいて実施例を詳述する。
図１において符号１は吊り戸枠を示している。
吊り戸枠１は、建物側の鉄骨にブラケットを介して固定された戸尻側縦枠１１および戸先側縦枠１２と、戸尻側縦枠１１と戸先側縦枠１２との上端間に配設され、建物側鉄骨にブラケットを介して固定された上横枠１３より門形に形成されている。
【００１４】
符号２は、レール取付材を示している。
レール取付材２は、図２に示す如く、戸尻側縦枠１１、戸先側縦枠１２の上端部内面に設けられたレール取付材固定座２１に、戸尻側縦枠１１側及び戸先側縦枠１２側の端部が固定用ボルト２２・・・にて高さ調節自在に連結され、固定面２３の室内側に吊り戸レール５が戸先側縦枠１２側が下がる傾斜状態に着脱自在に連結されている。
符号６は、吊り金具５７、吊りボルト５８を介して吊り戸レール５に吊り下げられた扉を示し、符号１４、１４は、戸尻側縦枠１１と戸先側縦枠１２間で、上端が上横枠１３の室内側と廊下側の両面に固定され、下端部が床面に埋め込まれて配設された中枠を示している。
以下、戸尻側縦枠１１と中枠１４、１４間側を引き込み部側、戸先側縦枠１２と中枠１４、１４間側を出入り口側と云う。
【００１５】
符号１５は、上枠１３の廊下側の表面と、中枠１４と、戸先側縦枠１２に取付けられたランマ下地パネルを示し、符号１６はレール取付材２の室内側の出入り口側に着脱自在に取付けられた点検パネルを示している。
【００１６】
そして、上記吊り戸枠１、中枠１４、１４、及び、引き込み部側の床面に取付けられるベース材（図示せず）、戸尻側縦枠１１と中枠１４、１４間に取付けられる下地パネル（図示せず）、ランマ下地パネル１５、レール取付材２、床面に取付けられ扉６の下面に嵌合するガイド部材（図示せず）等が、内装仕上げが行われるまで（化粧ボード１００・・が貼り付けられるまで）に施工される。
そして、内装仕上げが終了した後、扉６が出入り口側からレール取付材２に取付けられた吊り戸レール５に吊り込まれる。
次に、本発明の扉の密閉装置３が取付けられ、扉６の自閉スピードの調節、および扉６と床面、戸先側縦枠１２との隙間調節、密閉力の調整が行われ、最後に点検パネル１６が取付けられて、吊り戸装置１０が構成される。
【００１７】
吊り戸レール５は、図２に示す如く、スライド装置５１と、アルミ材からなる押出補強材と鉄板を折り曲げて形成した外側補強材からなる取付用補強部材５０を連結して構成され、その開閉方向の長さは、扉６の移動距離よりやや長めに形成され、吊り戸レール５の引き込み側部は、レール取付材２の戸尻側縦枠１１側の端部に形成された係止孔に、取付用補強部材５０の戸尻側縦枠１１側の端部に形成された係止爪を出入り口側から押し込むようにして係止させ、出入り口側部は複数箇所ネジ止めすることにより、レール取付材２の室内側に、戸先側縦枠１２側が下がる傾斜状態となるよう取付けられ、吊り戸レール５の傾斜状態を微調整して扉６の自閉スピード（自閉力）の調節が行われる。
【００１８】
スライド装置５１は、図２に示す如く、取付用補強部材５０の室内側に保持される断面略Ｃ字形のアウターメンバーと、アウターメンバーにボールリテーナーに保持された複数個のボールを介してスライド自在に保持される断面略Ｃ字形のインナーメンバーより構成されており、取付用補強部材５０とアウターメンバーは開閉方向の略全幅に渡って配設され、インナーメンバーは扉６の開閉方向の幅よりやや小さ目に形成され、ボールリテーナーはインナーメンバーより２倍強の幅に形成されている。
【００１９】
吊り金具５７は、インナーメンバーと開閉方向にほぼ同幅で、インナーメンバーの室内側に固着されるＬ字形の上部吊り金具５７１と、上部吊り金具５７１の下面にネジ止め連結される下部吊り金具５７２よりなり、下部吊り金具５７２には点検パネル１６側からランマ下地パネル１５方向に係止孔が形成され、係止孔に吊り下げボルト５８が係止されて、扉６は吊り金具５７に吊り下げられる。
【００２０】
吊り下げボルト５８は、扉６の上面に固着されたナット部に螺合する螺軸部と、螺軸部の上部に位置し螺軸部より大径で且つ前記下部吊り金具５７２の係止孔の開閉方向の巾よりも大径の頭部と、頭部の下面に位置し、係止孔内に位置する円筒形の回動部と、回動部の下方で螺軸部を回動させる、頭部より小径の回動操作部より構成されている。
【００２１】
扉６は、パネル形状をなし、上端部の点検パネル１６側に、密閉装置３の接触案内レール３１が開閉方向全幅にわたって設けられ、上端面の内側に前記吊り下げボルト５８の螺軸部が螺合するナット部が開閉方向に所定間隔を有して複数個固着され、下端部には開閉時にガイド部材のガイドローラーに案内される下面が開口する案内溝が形成されている。
【００２２】
点検パネル１６は、図２に示す如く、上部が上枠１３の室内側面に取付けられ、下部が室内側に突出して化粧ボード１００の下端部端面を隠蔽する下地突部とした点検パネル支持片１６１に形成された係止部に上端が係止し、下端部が室内側の中枠１４上部内面と、戸先側縦枠１２の室内側の上部内面に設けられた点検パネル取付座１６２に下方よりネジ止めされ、着脱自在に取付けられている。
【００２３】
密閉装置３は、前記した接触案内レール３１と  戸尻側端部に接触子３２を有する揺動杆３３と、揺動杆３３に回動力を付与する付勢手段４と、揺動杆３３と付勢手段４が取付けられる支持基板３４より構成されている。
接触案内レール３１は、扉６の上端面とほぼ面一で、扉６の開閉方向全幅に渡って位置する接触面３１１と、接触面３１１の戸尻側端部が下方に傾斜する押圧面３１２と、接触面３１１の下方で、接触面３１１と押圧面３１２に連設された取付面３１３より形成され、扉６の上端部の室内側にネジ止め連結されている。
【００２４】
支持基板３４は、上端部に縦方向に長孔とした開閉方向に所定間隔を有する２つの取付孔３４１、３４１と、戸尻側から戸先側にかけて下方に傾斜する方向で、開閉方向に所定間隔を有する複数個の引張りバネ支持孔３４２・・・と、戸先側端部の下端部に形成された揺動杆支持孔３４３を有し、レール取付材２の室内側突壁２４の室内側の中枠１４の出入り口側近傍に、上下方向に取付位置調節可能にネジ止めされている。
【００２５】
揺動杆３３は、下端部を扉側に屈折させた鋼製のフラットバーより形成され、戸先側と戸尻側の中間部やや戸先側が、前記支持基板３４の揺動杆支持孔３４３に回動自在に連結され、戸尻側端部に、端面が常に接触案内レール３１の接触面３１１に接触する接触子（回転ローラー）３２が取付けられ、戸先側側端部と支持基板３４の引張りバネ支持孔３４２・・・の一つに着脱自在に取付けられたバネ支持部材３４０間に付勢手段４（引っ張りバネ）が配設されている。
すなわち、引張りバネ支持孔３４２・・・を適宜選択してバネ支持部材３４０の取付け位置をきめ、引張りバネ４の引っ張り力（揺動杆３３の回動力）をかえることにより、扉６の重さ等に対応して、密閉力を適宜選択することが出来る。
【図面の簡単な説明】
【００２６】
【図１】点検パネルと引き込み部側の化粧パネル等を外した吊り戸装置の扉の全閉状態での室内側からの上部正面図
【図２】図１の要部拡大縦断面図
【図３】扉の全閉状態での密閉装置の拡大正面図
【図４】扉の開閉途中での密閉装置の拡大正面図
【符号の説明】
【００２７】
１        吊り戸枠
１０      吊り戸装置
１１      戸尻側縦枠
１２      戸先側縦枠
１００    化粧ボード
２        レール取付材
３        密閉装置
３１      接触案内レール
３１１    接触面
３１２    押圧面
３２      接触子  回転ローラー
３３      揺動杆
４        付勢手段  引っ張りバネ
４０      ガイドローラー
５        吊り戸レール
６        扉
【図１】
2006083626.tif 000003
【図２】
2006083626.tif 000004
【図３】
2006083626.tif 000005
【図４】
2006083626.tif 000006